(57)【要約】【課題】  足裏の所望の位置に対して、様々な刺激を与えることができる足裏用マッサージ器具を提供する。【解決手段】  使用者の足を乗せて体重を掛けた場合に体重を支持しうる搬送可能な本体部１１と、本体部１１の上面部１２に設けられ、前記使用者が体重を掛けた場合には前記使用者の体重により前記使用者の足裏を加圧しうる突起部１３とを有するマッサージ器具１０において、突起部１３は本体部１１に対して着脱可能に固定された複数の突起片部１４、１４・・・により構成されている。【選択図】  図１
0003204453.tif 000002
【実用新案登録請求の範囲】
【請求項１】
使用者の足を乗せて体重を掛けた場合に体重を支持しうる搬送可能な本体部と、前記本体部の上面部に設けられ、前記使用者が体重を掛けた場合には前記使用者の体重により前記使用者の足裏を加圧しうる突起部とを有するマッサージ器具において、前記突起部は前記本体部に対して着脱可能に固定された複数の突起片部により構成されていることを特徴とするマッサージ器具。
【請求項２】
前記突起片部は、略箱状の突起片本体部と、前記突起片本体部の先端部に連設され、先端に至るに従って細くなる略テーパー状に形成された突起片先端部とにより構成されていることを特徴とする請求項１記載のマッサージ器具。
【請求項３】
前記本体部は上面部に開口部を有する略箱状に形成され、前記複数の突起片部は、前記突起片本体部が夫々隣接した状態で前記本体部の内部に配設固定されていることを特徴とする請求項２記載のマッサージ器具。
【請求項４】
前記複数の突起片部は、異なった先端部形状に形成された突起片先端部を有することを特徴とする請求項２記載のマッサージ器具。
【請求項５】
前記突起片本体部の底面部と前記本体部の内底面部との間には高さ調節部が設けられ、前記高さ調節部は前記突起片本体部の底面部と同一の平面形状を有する平面長方形板状に形成されていることを特徴とする請求項３記載のマッサージ器具。
【請求項６】
前記突起片先端部は、全体略人間の指先形状に形成されていることを特徴とする請求項４記載のマッサージ器具。
【考案の詳細な説明】
【技術分野】
【０００１】
本考案は、マッサージ器具に係り、特に足裏用のマッサージ器具に関するものである。
【背景技術】
【０００２】
一般に、主に足の裏の特定部位を押せば体の特定部位に変化が起こるという考え方に基づき、疲労の改善等をはかるリフレクソロジーという療法が知られている。
従来より、リフレクソロジーを一人で行なう場合には、凹凸状に形成された器具を踏んで足の裏を刺激していた。例えば、特許文献１には、足裏の指圧ツボに相当する一に指圧用突起を設けてある足踏み体が、足裏の大きさに対応して指圧用突起の配列が異なる複数種類のものから構成された足踏み指圧具が開示されている。
しかしながら、特許文献１に記載された技術にあっては、突起が指圧ツボ配列に限定して形成されているので、足裏の所望の箇所を刺激することができないという不具合があった。また、特許文献１に記載された技術にあっては、突起の形状が一定で足の裏に与える刺激が変化に乏しいという不具合があった。
【特許文献１】特開２００１−２４５９５４号公報
【考案の開示】
【考案が解決しようとする課題】
【０００３】
本考案は、以上のような従来からの不具合を解消するためのものであって、その課題は、足裏の所望の位置に対して、様々な刺激を与えることができるマッサージ器具を提供することにある。
【課題を解決するための手段】
【０００４】
前記課題を解決するために、請求項１に記載の考案にあっては、使用者の足を乗せて体重を掛けた場合に体重を支持しうる搬送可能な本体部と、前記本体部の上面部に設けられ、前記使用者が体重を掛けた場合には前記使用者の体重により前記使用者の足裏を加圧しうる突起部とを有するマッサージ器具において、前記突起部は前記本体部に対して着脱可能に固定された複数の突起片部により構成されていることを特徴とする。
【０００５】
従って、前記複数の突起片部が前記本体部に対して着脱可能に固定され、前記突起部が形成される。
ので、前記突起片部を取り外して、別の突起片部と交換することができる。
従って、前記使用者が前記突起部に足を乗せて体重を掛けた場合には、前記使用者の体重により前記使用者の足裏が前記突起片部の形状に応じて加圧されるので、前記突起片部を別の突起片部と交換することにより多種多様な刺激を足裏に与えることができ、その結果、足裏の所望の位置に対して、様々な刺激を与えることができる足裏用マッサージ器具を提供することができる。
【０００６】
請求項２に記載の考案にあっては、前記突起片部は、略箱状の突起片本体部と、前記突起片本体部の先端部に連設され、先端に至るに従って細くなる略テーパー状に形成された突起片先端部とにより構成されていることを特徴とする。
【０００７】
従って、前記使用者が前記突起部に足を乗せて体重を掛けた場合には、前記突起片本体部が前記使用者の体重を支持すると共に、前記突起片先端部が前記使用者の足裏に刺激を与える。
【０００８】
請求項３に記載の考案にあっては、前記本体部は上面部に開口部を有する略箱状に形成され、前記複数の突起片部は、前記突起片本体部が夫々隣接した状態で前記本体部の内部に配設固定されていることを特徴とする。
【０００９】
従って、前記複数の突起片部は、前記突起片本体部が夫々隣接した状態で前記本体部の内部に配設固定され、前記突起部には前記複数の突起片部の前記突起片先端部が夫々隣接して配置される。
【００１０】
請求項４に記載の考案にあっては、前記複数の突起片部は、異なった先端部形状に形成された突起片先端部を有することを特徴とする。
【００１１】
従って、前記複数の突起片部の前記突起片先端部は、夫々、異なった先端部形状に形成される。
【００１２】
請求項５に記載の考案にあっては、前記突起片本体部の底面部と前記本体部の内底面部との間には高さ調節部が設けられ、前記高さ調節部は前記突起片本体部の底面部と同一の平面形状を有する平面長方形板状に形成されていることを特徴とする。
【００１３】
従って、前記突起片部は、前記高さ調節部を介して前記本体部の内底面部に固定される。
【００１４】
請求項６に記載の考案にあっては、前記突起片部は、全体略人間の指先形状に形成されていることを特徴とする。
【考案の効果】
【００１５】
請求項１〜６に記載のマッサージ器具にあっては、前記複数の突起片部が前記本体部に対して着脱可能に固定され、前記突起部が形成されるので、前記突起片部を取り外して、別の突起片部と交換することができる。
従って、前記使用者が前記突起部に足を乗せて体重を掛けた場合には、前記使用者の体重により前記使用者の足裏が前記突起片部の形状に応じて加圧されるので、前記突起片部を別の突起片部と交換することにより多種多様な刺激を足裏に与えることができ、その結果、足裏の所望の位置に対して、様々な刺激を与えることができる足裏用マッサージ器具を提供することができる。
また、請求項１に記載のマッサージ器具にあっては、搬送可能な前記本体部を有しているので、任意の場所で使用することができるマッサージ器具を提供することができる。
【００１６】
請求項２及び３に記載のマッサージ器具にあっては、前記複数の突起片部は、前記突起片本体部が夫々隣接した状態で前記本体部の内部に配設固定され、前記使用者が前記突起部に足を乗せて体重を掛けた場合には、前記突起片本体部が前記使用者の体重を支持すると共に、前記突起片先端部が前記使用者の足裏に刺激を与えるので、前記使用者の体重を確実に支持することができると共に、前記使用者の体重が掛かる前記突起部を構成する前記複数の突起片部を確実に固定することができる。
さらに、請求項３に記載のマッサージ器具にあっては、前記突起部には前記複数の突起片部の前記突起片先端部が夫々隣接して配置されるので、前記使用者が前記突起部に足を乗せて体重を掛けた場合には、前記複数の突起片部が前記使用者の足裏に当接する。その結果、効率よく前記使用者の足裏に刺激を与えることができるマッサージ器具を提供することができる。
【００１７】
請求項４及び６に記載のマッサージ器具にあっては、前記複数の突起片部の前記突起片先端部は、夫々、異なった先端部形状に形成されるので、従来のマッサージ器具において、突起の形状が一定で足の裏に与える刺激が変化に乏しいという不具合があったのに対し、請求項４及び６に記載のマッサージ器具にあっては、足裏の所望の位置に対して、前記突起片部ごとに様々な刺激を与えることができ、その結果、前記不具合を解消することができる。
特に、請求項６に記載のマッサージ器具にあっては、前記突起片部は、全体略人間の指先形状に形成されているので、前記使用者が前記突起部に足を乗せて体重を掛けた場合には、指圧に似た刺激を前記使用者の足裏に与えることができる。
【００１８】
請求項５に記載のマッサージ器具にあっては、前記突起片部は、前記高さ調節部を介して前記本体部の内底面部に固定されるので、前記突起片部ごとに前記本体部に対する高さを変化させることができる。従って、前記突起片先端部が前記使用者の足裏に食い込む割合を前記突起片部ごとに調整することができ、その結果、前記使用者の足裏に対して様々な刺激を与えることができる。
【図面の簡単な説明】
【００１９】
【図１】図１（ａ）は、本考案に係るマッサージ器具の一実施の形態を示す平面図、（ｂ）は（ａ）中II−II線相当断面図である。
【図２】図２は、本考案に係るマッサージ器具の一実施の形態において、（ａ）及び（ｂ）は突起片部を示す側面図、（ｃ）は突起片部を示す平面図、（ｄ）は突起片部を示す斜視図である。
【図３】図３（ａ）及び（ｂ）は、本考案に係るマッサージ器具の一実施の形態において、異なった形状の突起片先端部を有する突起片部を示す斜視図である。
【考案を実施するための最良の形態】
【００２０】
以下、添付図面に示す実施の形態に基づき、本考案を詳細に説明する。
図１（ａ）に示すように、本実施の形態に係るマッサージ器具１０は、全体合成樹脂製で一辺の寸法がＬ１の平面正方形の薄型箱状に形成され、使用者の足を乗せて体重を掛けた場合に体重を支持しうる搬送可能な本体部１１と、本体部１１の上面部１２に設けられ、前記使用者が体重を掛けた場合には前記使用者の体重により前記使用者の足裏を加圧しうる突起部１３とを有している。
【００２１】
図１及び図２に示すように、本実施の形態に係る突起部１３は本体部１１に対して着脱可能に固定された複数の突起片部１４、１４・・・により構成されている。
図１（ｂ）及び図２に示すように、本実施の形態に係る突起片部１４は、略箱状の突起片本体部１５と、突起片本体部１５の先端部に連設され、先端に至るに従って細くなる略テーパー状に形成された突起片先端部１６とにより構成されている。
【００２２】
図１（ａ）及び（ｂ）に示すように、本実施の形態に係る本体部１１は上面部１２に開口部１７を有する略箱状に形成され、複数の突起片部１４、１４・・・は、突起片本体部１５、１５・・・が夫々隣接した状態で本体部１１の内部に配設固定されている。
【００２３】
また、図２及び図３に示すように、複数の突起片部１４、１４ａ、１４ｂは、異なった先端部形状に形成された突起片先端部１６、１６ａ、１６ｂを有している。特に、図２及び図３に示すように、本実施の形態に係る突起片先端部１６、１６ａ、１６ｂは、全体略人間の指先形状に形成されている。
【００２４】
また、図１（ｂ）に示すように、本実施の形態にあっては、突起片本体部１５の底面部１８と本体部１１の内底面部１９との間には高さ調節部２０が設けられ、高さ調節部２０は突起片本体部１５の底面部１８と同一の平面形状を有する平面長方形板状に形成されている。
【００２５】
本実施の形態に係るマッサージ器具１０の構成について、添付図面を用いてより詳細に説明する。
図１（ａ）に示すように、本実施の形態に係る本体部１１の一辺の寸法Ｌ１は、使用者が足を乗せられるように３０ｃｍとしている。また、図１に示すように、本実施の形態に係る突起部１３は、一辺の寸法Ｌ２が２７ｃｍの平面正方形状であって、本体部１１の上面部１２において、幅方向両端部から、夫々、１．５ｃｍ内方へ離間して設けられている。
【００２６】
図２（ａ）に示すように、本実施の形態に係る突起片部１４において、突起片本体部１５は一辺の寸法Ｌ３が３ｃｍの略立方体形状に形成され、図１（ａ）及び（ｂ）に示すように、本体部１１の内部に合計８１個の突起片部１４、１４・・・が、突起片本体部１５、１５・・・が夫々隣接した状態で配設固定されるように構成されている。
また、図２（ｃ）に示すように、突起片先端部１６は平面略楕円状であって、長軸は突起片本体部１５の一辺の寸法Ｌ３と同一の長さ寸法Ｌ４を有している。一方、短軸は突起片本体部１５の一辺の寸法Ｌ３よりも６ｍｍ短い長さ寸法Ｌ５を有し、突起片本体部１５の幅方向両端部から、夫々、３ｍｍ内方へ離間して形成されている。図２（ｂ）に示すように、突起片先端部１６の高さ寸法Ｌ６は２ｃｍである。
図１（ａ）に示すように、本実施の形態に係る突起部１３は、突起片部１４、１４・・・の一部において、突起片先端部１６の向きを平面上９０度回転させた状態で配置している。
【００２７】
また、図１（ｂ）に示すように、本実施の形態に係る高さ調節部２０は、高さ寸法Ｌ７が３ｍｍに形成されている。従って、図１（ｂ）に示すように、高さ調節部２０を配置しない場合には、本体部１１の内底面部１９から突起片先端部１６までの高さＬ８が５０ｍｍ（５ｃｍ）であるのに対して、高さ調節部２０を配置した場合には本体部１１の内底面部１９から突起片先端部１６までの高さＬ９が５３ｍｍ（５．３ｃｍ）となるように構成されている。
【００２８】
以下、本実施の形態に係るマッサージ器具１０の作用について、添付図面を用いて説明する。
図１に示すように、本実施の形態に係るマッサージ器具１０にあっては、使用者が突起部１３に足を乗せて使用する。
この際、前記使用者が複数の突起片部１４、１４・・・により構成される突起部１３に足を乗せて体重を掛けた場合には、前記使用者の体重により前記使用者の足裏が加圧されるので、突起片部１４、１４・・・が有する様々な凹凸形状によって、前記使用者の足裏に多様な刺激を与えることができる。
【００２９】
特に、図１及び図２に示すように、本実施の形態に係るマッサージ器具１０にあっては、複数の突起片部１４、１４・・・が本体部１１に対して着脱可能に固定され、突起部１３が形成されるので、突起片部１４を取り外して、別の突起片部と交換することができる。
従って、前記使用者が突起部１３に足を乗せて体重を掛けた場合には、前記使用者の体重により前記使用者の足裏が突起片部１４、１４・・・の形状に応じて加圧されるので、突起片部１４を別の突起片部と交換することにより多種多様な刺激を足裏に与えることができ、その結果、足裏の所望の位置に対して、様々な刺激を与えることができる足裏用マッサージ器具を提供することができる。
また、本実施の形態に係るマッサージ器具１０にあっては、搬送可能な本体部１１を有しているので、任意の場所で使用することができるマッサージ器具を提供することができる。
【００３０】
また、図１に示すように、本実施の形態に係るマッサージ器具１０にあっては、複数の突起片部１４、１４・・・は、突起片本体部１５、１５・・・が夫々隣接した状態で本体部１１の内部に配設固定され、前記使用者が突起部１３に足を乗せて体重を掛けた場合には、突起片本体部１５、１５・・・が前記使用者の体重を支持すると共に、突起片先端部１６、１６・・・が前記使用者の足裏に刺激を与えるので、前記使用者の体重を確実に支持することができると共に、前記使用者の体重が掛かる突起部１３を構成する複数の突起片部１４、１４・・・を確実に固定することができる。
さらに、本実施の形態に係るマッサージ器具１０にあっては、突起部１３には複数の突起片部１４、１４・・・の突起片先端部１６、１６・・・が夫々隣接して配置されるので、前記使用者が突起部１３に足を乗せて体重を掛けた場合には、複数の突起片部１４、１４・・・が前記使用者の足裏に当接する。その結果、効率よく前記使用者の足裏に刺激を与えることができるマッサージ器具を提供することができる。
【００３１】
また、図２及び図３に示すように、本実施の形態に係るマッサージ器具１０にあっては、複数の突起片部１４、１４・・・の突起片先端部１６、１６・・・は、夫々、異なった先端部形状に形成されるので、従来のマッサージ器具において、突起の形状が一定で足の裏に与える刺激が変化に乏しいという不具合があったのに対し、本実施の形態に係るマッサージ器具１０にあっては、足裏の所望の位置に対して、突起片部１４、１４・・・ごとに様々な刺激を与えることができ、その結果、前記不具合を解消することができる。
特に、図２及び図３に示すように、本実施の形態に係るマッサージ器具１０にあっては、突起片部１４、１４ａ、１４ｂは、全体略人間の指先形状に形成されているので、前記使用者が突起部１３に足を乗せて体重を掛けた場合には、指圧に似た刺激を前記使用者の足裏に与えることができる。
【００３２】
また、図１（ｂ）に示すように、本実施の形態に係るマッサージ器具１０にあっては、突起片部１４は、高さ調節部２０を介して本体部１１の内底面部１９に固定されるので、突起片部１４、１４・・・ごとに本体部１１に対する高さを変化させることができる（図１（ｂ）中の高さＬ８、Ｌ９）。従って、突起片先端部１６、１６・・・が前記使用者の足裏に食い込む割合を突起片部１４、１４・・・ごとに調整することができ、その結果、前記使用者の足裏に対して様々な刺激を与えることができる。
【００３３】
本実施の形態に係るマッサージ器具１０にあっては、突起片部１４を透明な合成樹脂により形成し、突起片部１４の内部にＬＥＤを設けることにより、視覚的にも楽しく運動ができるマッサージ器具を提供することもできる。
また、図１に示すように、本実施の形態に係る本体部１１は、平面正方形の薄型箱状に形成されているので、複数のマッサージ器具１０、１０・・・を並置して使用することもできる。その結果、一のマッサージ器具１０を使用した足踏み運動だけでなく、複数のマッサージ器具１０、１０・・・を使用した歩行運動も行うことができる。
【産業上の利用可能性】
【００３４】
本考案は、マッサージ器具に広く適用可能であり、産業上利用可能性を有している。
【符号の説明】
【００３５】
１０：マッサージ器具
１１：本体部
１２：上面部
１３：突起部
１４、１４ａ、１４ｂ：突起片部
１５：突起片本体部
１６、１６ａ、１６ｂ：突起片先端部
１７：開口部
１８：底面部
１９：内底面部
２０：高さ調節部
Ｌ１：本体部の一辺の寸法
Ｌ２：突起部の一辺の寸法
Ｌ３：突起片本体部の一辺の寸法
Ｌ４：突起片先端部の長軸の長さ寸法
Ｌ５：突起片先端部の短軸の長さ寸法
Ｌ６：突起片先端部の高さ寸法
Ｌ７：高さ調節部の高さ寸法
Ｌ８、Ｌ９：本体部の内底面部から突起片先端部までの高さ
【図１】
0003204453.tif 000003
【図２】
0003204453.tif 000004
【図３】
0003204453.tif 000005